(57)【要約】【課題】簡単な構成で上側筐体と下側筐体の結合が無理なく容易に行われ、回転中心の位置の制約もない折り畳み型携帯情報端末の回転式連結構造を提供する。【解決手段】下側フロントケース４０に設けられた第１の円筒型ヒンジ４１および第２の円筒型ヒンジ４２と、上側フロントケース１０の一端の中央部に設けられ、第２の円筒型ヒンジ４２と接する部分に円筒形部を有する半円筒型ヒンジ２０と、第１の連結部品６０と、第２の連結部品７０と、上側リアカバー３０の第１の連結部品係止部とを備え、第１の円筒型ヒンジ４１は、下側フロントケース側に切り欠き部を有し、第１の連結部品６０は、第１の円筒型ヒンジ４１の内面に嵌合し、半円筒型ヒンジ２０側に突出して半円筒型ヒンジ２０と係合する先端部６０ａと、第１の円筒型ヒンジ４１の切り欠き部と係合する切り欠き部６０ｂとを有する。【選択図】図１
2008028708.tif 000002
【特許請求の範囲】
【請求項１】
下部筐体の一端の両側に設けられた円筒型ヒンジと、
上部筐体の一端の中央部に設けられ、片側に円筒形部が形成され反対側が半円筒形部になった半円筒型ヒンジと、
前記下部筐体の片方の前記円筒型ヒンジに嵌入され、前記上部筐体の前記半円筒型ヒンジの前記半円筒形部と係合しており、該円筒型ヒンジから突出した先端部に、前記半円筒形部が軸線に垂直な方向に該先端部を通過して、該先端部に係合した位置と該先端部から外れた位置との間で移動可能とする側面の切り欠き部が形成されている第１の連結部品と、
前記下部筐体の他方の円筒型ヒンジと前記上部筐体の前記半円筒型ヒンジの前記円筒形部とに挿入された第２の連結部品と、を備えた折り畳み型携帯情報端末の回転式連結構造。
【請求項２】
請求項１に記載の折り畳み型携帯情報端末の回転式連結構造において、
前記上部筐体は、上側フロントケースと上側リアカバーとから構成され、前記下部筐体は下側フロントケースを有し、
前記下側フロントケースの一端の両側に設けられた第１の円筒型ヒンジおよび第２の円筒型ヒンジと、
前記上側フロントケースの一端の中央部に設けられ、両側の端面が前記第１の円筒型ヒンジおよび第２の円筒型ヒンジの内側の端面と整合するように配置され、前記第２の円筒型ヒンジと接する部分に円筒形部を有する半円筒型ヒンジと、
前記半円筒型ヒンジの一端と前記第１の円筒型ヒンジとを回転可能に保持する第１の連結部品と、
前記半円筒型ヒンジの他端と前記第２の円筒型ヒンジとを回転可能に保持する第２の連結部品と、
前記上部筐体の上側リアカバーに設けられた第１の連結部品係止部とを備え、
前記第１の円筒型ヒンジは、前記下側フロントケース側に切り欠き部を有し、
前記第１の連結部品は、前記第１の円筒型ヒンジの内面に嵌合し、前記半円筒型ヒンジ側に突出する先端部と前記第１の円筒型ヒンジの前記切り欠き部と係合する切り欠き部とを有する、折り畳み型携帯情報端末の回転式連結構造。
【請求項３】
請求項２に記載の折り畳み型携帯情報端末の回転式連結構造において、前記第２の連結部品が装着されていない状態で、前記上側フロントケースと前記下側フロントケースとが開いた状態で相互のヒンジ部を近接させ、前記上側ケース用半円筒型ヒンジの断面先端を前記第１の連結部品の前記切り欠き部により細くなった部分を通して押し込んで、前記上側ケース用半円筒型ヒンジの内面を前記第１の連結部品の前記先端部の外面に係合させ、前記第２の連結部品を前記上側ケース用半円筒型ヒンジの前記円筒形部を経由して前記第２の円筒型ヒンジの穴部に挿入し、前記リアカバーを前記フロントケースに取り付けて前記第１の連結部品係止部を前記第１の連結部品の前記先端部と整合させることによって、前記上側筐体と前記下側筐体とは回転可能に係合して回転式連結構造が完成する、折り畳み型携帯情報端末の回転式連結構造。
【請求項４】
請求項１から請求項３のいずれか１項に記載の折り畳み型携帯情報端末の回転式連結構造を備えた折り畳み型携帯情報端末。
【請求項５】
請求項４に記載の折り畳み型携帯情報端末において、該折り畳み型携帯情報端末が折り畳み型携帯電話である、折り畳み型携帯情報端末。
【発明の詳細な説明】
【技術分野】
【０００１】
本発明は折り畳み型携帯情報端末の回転式連結構造と折り畳み型携帯情報端末に関し、特に組立のための切り欠き部を有する連結部材を片方に有する折り畳み型携帯情報端末の回転式連結構造と折り畳み型携帯情報端末に関する。
【背景技術】
【０００２】
従来の折り畳み型携帯情報端末の回転式連結構造（ヒンジ構造）では、組立の際に一方の筐体の両側に設けられたヒンジ部を力を加えて開く方向に撓ませて、他方の筐体のヒンジ部を連結部材を介して嵌め合わせて連結させることが行われていた。その作業には、一方の筐体のヒンジ部を撓ませる必要があるので、同時に一方の筐体自体にも変形が生ずることから、その応力によりフロントケースの軸や補助部品の固定部、およびその周辺部を破損させてしまうという弊害が発生していた。
【０００３】
特許文献１（特開２００５−１２１１７５号公報）には、キー操作側筐体と表示側筐体とが一対のヒンジユニットにより連結される携帯電話において、表示側筐体の内側にヒンジユニットの挿入開始位置部が設けられ、キー操作側筐体の内側および表示側筐体の内側に、それぞれヒンジユニットの収納部が設けられ、ヒンジユニットが挿入開始位置部から両収納部に挿入される折り畳み型携帯情報端末のヒンジ装置が開示されている。
【特許文献１】特開２００５−１２１１７５号公報
【発明の開示】
【発明が解決しようとする課題】
【０００４】
特許文献１に記載の折り畳み型携帯情報端末のヒンジ装置では、筐体のヒンジ部を撓ませる必要はないが、複数の部品から構成される２個のヒンジユニットを設ける必要がありコスト高となる。
【０００５】
また、簡単な構成のヒンジ装置として図７に示したような構成も採用されている。図７は従来例の折り畳み型携帯情報端末のヒンジ構造の一例を示す模式的外形図であり、（ａ）は上面図、（ｂ）は側面図である。ここでは本願発明の後述の実施形態と対応する部分には本願発明の実施形態と同じ符号を付している。下側ケースのヒンジ部の両端に第１の円筒型ヒンジ４１、第２の円筒型ヒンジ４２が設けられ、第１の円筒型ヒンジ４１の内部に係合した円筒状の第１の連結部品６０の先端部６０ａに、下側フロントケース４０に対して傾斜させて接近させた上側フロントケース１０のヒンジ部に設けた半円筒型ヒンジ２０を挿入し、下側ケース用第２の円筒形ヒンジ４２の開口部に上側ケース用半円筒型ヒンジ２０に設けられた第２の連結部品挿入用円筒部２２の開口部が整合するように上側フロントケース１０を回転して結合させて、不図示の第２の連結部品を貫通させて上側フロントケース１０と下側フロントケースを結合させている。
【０００６】
構成も簡単であり、組立も容易であるが、上側フロントケース１０の半円筒型ヒンジ２０の先端部を第１の連結部品６０に挿入して、半円筒型ヒンジ２０を回転させる際に、第１の連結部品６０の先端部６０ａを変形させるといいう問題があった。
【０００７】
回転中心の位置についても、上側フロントケース１０と下側フロントケースを閉じた状態での厚み方向の中間位置に設置させている場合には、先程述べた下側フロントケースの両側の円筒型ヒンジ４１、４２の中間付近を撓ませるという動作が困難となるため、回転部の位置が制約されることによりデザイン性が損なわれるという問題もあった。
【０００８】
本発明の目的は、簡単な構成で上側筐体と下側筐体の結合が無理なく容易に行われ、回転中心の位置の制約もない折り畳み型携帯情報端末の回転式連結構造を提供することにある。
【課題を解決するための手段】
【０００９】
本発明の折り畳み型携帯情報端末の回転式連結構造は、
下部筐体の一端の両側に設けられた円筒型ヒンジと、上部筐体の一端の中央部に設けられ、片側に円筒形部が形成され反対側が半円筒形部になった半円筒型ヒンジと、下部筐体の片方の円筒型ヒンジに嵌入され、上部筐体の半円筒型ヒンジの半円筒形部と係合しており、その円筒型ヒンジから突出した先端部に、半円筒形部が軸線に垂直な方向にその先端部を通過して、その先端部に係合した位置とその先端部から外れた位置との間で移動可能とする側面の切り欠き部が形成されている第１の連結部品と、下部筐体の他方の円筒型ヒンジと上部筐体の半円筒型ヒンジの円筒形部とに挿入された第２の連結部品とを備えたことを特徴とする。
【００１０】
上部筐体は、上側フロントケースと上側リアカバーとから構成され、下部筐体は下側フロントケースを有し、下側フロントケースの一端の両側に設けられた第１の円筒型ヒンジおよび第２の円筒型ヒンジと、上側フロントケースの一端の中央部に設けられ、両側の端面が第１の円筒型ヒンジおよび第２の円筒型ヒンジの内側の端面と整合するように配置され、第２の円筒型ヒンジと接する部分に円筒形部を有する半円筒型ヒンジと、半円筒型ヒンジの一端と第１の円筒型ヒンジとを回転可能に保持する第１の連結部品と、半円筒型ヒンジの他端と第２の円筒型ヒンジとを回転可能に保持する第２の連結部品と、上部筐体の上側リアカバーに設けられた第１の連結部品係止部とを備え、第１の円筒型ヒンジは、下側フロントケース側に切り欠き部を有し、第１の連結部品は、第１の円筒型ヒンジの内面に嵌合し、半円筒型ヒンジ側に突出する先端部と第１の円筒型ヒンジの切り欠き部と係合する切り欠き部とを有してもよい。
【００１１】
第２の連結部品が装着されていない状態で、上側フロントケースと下側フロントケースとが開いた状態で相互のヒンジ部を近接させ、上側ケース用半円筒型ヒンジの断面先端を第１の連結部品の切り欠き部により細くなった部分通して押し込んで、上側ケース用半円筒型ヒンジの内面を第１の連結部品の先端部の外面に係合させ、第２の連結部品を上側ケース用半円筒型ヒンジの円筒形部を経由して第２の円筒型ヒンジの穴部に挿入し、リアカバーをフロントケースに取り付けて第１の連結部品係止部を第１の連結部品の先端部と整合させることによって、上側筐体と下側筐体とは回転可能に係合して回転式連結構造が完成してもよい。
【００１２】
本発明の折り畳み型携帯情報端末は、
上述の折り畳み型携帯情報端末の回転式連結構造を備える。その折り畳み型携帯情報端末が折り畳み型携帯電話であってもよい。
【００１３】
本発明の折り畳み型携帯情報端末の回転式連結構造では、上側ケース用半円筒型ヒンジの内面を下側ケース用第１の円筒型ヒンジに固定された第１の連結部材の外面に同一軸線となるように係合させる際に、第１の連結部材に切り欠き部が設けられているので、上側ケース用半円筒型ヒンジの端部を切り欠き部によって細くなった部分を経由して挿入することができる。それによって上側ケース用半円筒型ヒンジの端部や第１の連結部材の先端部に無理な力を加えることなく上側フロントケースと下側フロントケースとを結合させることができ、回転中心の位置が制約されることもない。
【発明の効果】
【００１４】
本発明の折り畳み型携帯情報端末の回転式連結構造では、上側ケース用半円筒型ヒンジの内面を下側ケース用第１の円筒型ヒンジに固定された第１の連結部材の外面に同一軸線となるように係合させる際に、上側ケース用半円筒型ヒンジの端部や第１の連結部材の先端部に無理な力を加えることなく上側フロントケースと下側フロントケースとを結合させることができるという効果がある。これは、第１の連結部材に切り欠き部が設けられているので、上側ケース用半円筒型ヒンジの端部を切り欠き部で細くなった部分を経由して挿入することができ、特別な力を加えることなく容易に上側ケース用半円筒型ヒンジを下側ケース用第１の円筒型ヒンジに固定された第１の連結部材に係合させることができるからである。
【００１５】
また、このような構成とすることにより、挿入部を変形させて間隔を広げたりする必要がないので、回転中心の位置が制約されることもなく、デザイン性が損なわれることもないという効果がある。
【発明を実施するための最良の形態】
【００１６】
次に、本発明の実施の形態について図面を参照して説明する。図１は本発明の実施の形態の回転式連結構造（以後ヒンジ構造と略称する）を有する折り畳み型携帯情報端末の分解斜視図であり、図２は本発明の実施の形態のヒンジ構造を構成する第１の連結部品の外形図であり、（ａ）は上面図、（ｂ）は左側面図、（ｃ）は下面図、（ｄ）は右側面図、（ｅ）は正面図、（ｆ）は背面図である。図３は折り畳み型携帯情報端末の上側フロントケースと下側フロントケースをヒンジ構造で組み合わせた状態の斜視図であり、図４は上側フロントケースと下側フロントケースとのヒンジ部を組み合わせ始めた状態を示す模式的側面断面図であり、図５は上側フロントケースと下側フロントケースとのヒンジ部が組み合わさった状態を示す模式的側面断面図であり、図６は下側フロントケースに上側フロントケースを重ね、上側リアカバーを取り付けた状態の模式的側面断面図である。ここでは折り畳み型携帯情報端末を折り畳み型携帯電話を例として説明するが、本願発明は折り畳み型携帯電話に限定されるものではなく、筐体が折り畳み可能な情報端末に広く適用できる。
【００１７】
本発明の実施の形態の折り畳み型携帯情報端末のヒンジ構造について組み立て前の構成と組み立て後の構成について、組み立ての過程を加えて説明する。
【００１８】
折り畳み型携帯情報端末１は、上側フロントケース１０と上側リアカバー３０とからなる上部筐体と、下側フロントケース４０と下側リアカバー５０とからなる下部筐体とを有し、上部筐体と下部筐体とは両筐体の一端に設けられたヒンジ構造より回転可能に結合されていて、上部筐体と下部筐体とを折り畳みと開放の状態とすることができる。上部筐体と下部筐体とはプラスチックや金属などの材料にて構成される。後述のように、下側リアカバー５０は設けられずに、下側フロントケースのみで下側筐体が形成されている場合もある。
【００１９】
ヒンジ構造は、上側フロントケース１０の一端に設けられた上側ケース用半円筒型ヒンジ２０、上側リアカバー３０に設けられた上側ヒンジカバー３１と第１の連結部品係止部３２、下側フロントケース４０の一端の左右に設けられた下側ケース用第１の円筒型ヒンジ４１と下側ケース用第２の円筒型ヒンジ４２、下側ケース用第１の円筒型ヒンジ４１と下側ケース用第２の円筒型ヒンジ４２との間の下側フロントケース４０に設けられた下側ケース用ヒンジ凹面４３、および、第１の連結部品６０と第２の連結部品７０とから構成される。
【００２０】
上側ケース用半円筒型ヒンジ２０は、下側ケース用第２の円筒型ヒンジ４２と接する側に設けられた第２の連結部品挿入用円筒部２２の部分で上側フロントケース１０本体と連接しており、半円筒部は第２の連結部品挿入用円筒部２２から同一の径で延びている。
【００２１】
下側ケース用第１の円筒型ヒンジ４１と下側ケース用第２の円筒型ヒンジ４２は、下側ケース用ヒンジ凹面４３を挟んで下側フロントケース４０の一端の両側に設けられており、その間に上側ケース用半円筒型ヒンジ２０が整合する。下側ケース用第１の円筒型ヒンジ４１は、下側フロントケース４０側に開口を有するＣ字型の筒形の構造となっており、下側ケース用第２の円筒型ヒンジ４２は、内部に第２の連結部品７０の先端が挿入可能な構造となっている。
【００２２】
第１の連結部品６０は、図２に示すように、側面に切り欠き部６０ｂを有する筒形となっており、下側ケース用第１の円筒型ヒンジ４１の内部に嵌入され、先端部６０ａが露出していて、先端部６０ａの外面は上側ケース用半円筒型ヒンジ２０の内面と整合する。
【００２３】
第２の連結部品７０は、上側フロントケース１０と下側フロントケース４０との係合時に、上側ケース用半円筒形ヒンジ２０の一端にある第２の連結部品挿入用円筒部２２を貫通して下側ケース用第２の円筒型ヒンジ４２の内部に貫入されて、上側ケース用半円筒形ヒンジ２０と下側ケース用第２の円筒型ヒンジ４２とを同軸で回転可能に保持する。
【００２４】
次に、実施の形態の折り畳み型携帯情報端末のヒンジ構造の組み立てについて説明する。折り畳み型携帯情報端末１のヒンジ構造の組み立てにおいては、まず図１に示される上側フロントケース１０、下側フロントケース４０、第１の連結部品６０、および第２の連結部品７０を準備する。上側フロントケース１０には上側ケース用半円筒型ヒンジ２０が一体に設けられており、上側ケース用半円筒型ヒンジ２０の両端部にはそれぞれ、第１の連結部品６０の先端部６０ａと係合する第１の連結部品接触部２１と、第２の連結部品７０が挿入される第２の連結部品挿入用円筒部２２とが設けられている。
【００２５】
下側フロントケース４０のヒンジ構造側端面の中央部には、上側フロントケース１０の上側ケース用半円筒形ヒンジ２０の凸形の外面と当接する下側ケース用ヒンジ凹面４３が設けられており、その両側にはそれぞれ、下側ケース用第１の円筒型ヒンジ４１と下側ケース用第２の円筒型ヒンジ４２とが設けられている。
【００２６】
下側ケース用第１の円筒型ヒンジ４１の内径部に、第１の連結部品６０が、切り欠き部６０ｂが下側ケース用第１の円筒型ヒンジ４１の切り欠き部と一致するように嵌入され、先端部６０ａが下側ケース用ヒンジ凹面側に露出する。
【００２７】
図４に示すように、下側フロントケース４０に対して上側フロントケース１０を開いた状態となるように保持し、上側ケース用半円筒型ヒンジ２０の外面が下側ケース用ヒンジ凹面４３と整合するように上側フロントケース１０のヒンジ部を押し上げる。第１の連結部品６０には切り欠き部６０ｂが設けられているので、上側ケース用半円筒型ヒンジ２０の先端部は、第１の連結部品６０の先端部６０ａの切り欠き部６０ｂによって細くなった部分を通過して前進する（図４においてＤ＞ｄ）。最終的に、図５に示すように、上側ケース用半円筒型ヒンジ２０の第１の連結部品接触部２１が第１の連結部品６０の先端部６０ａと接触して上側フロントケース１０と下側フロントケース４０とのヒンジ部が組み合わされる。
【００２８】
次に、第２の連結部品７０を上側ケース用半円筒型ヒンジ２０の軸方向中央の開放側から第２の連結部品挿入用円筒部２２に挿入し、さらに下側ケース用第２の円筒型ヒンジ４２の開口部まで貫入させて固定する。それによって、上側ケース用半円筒型ヒンジ２０は、第１の連結部品６０および第２の連結部品７０を軸として下側フロントケース４０に対して回転可能に連結され、上側フロントケース１０が下側フロントケース４０に対し開閉動作が可能となる。
【００２９】
この状態から、上側フロントケース１０、および下側フロントケース４０に対して、それぞれ上側リアカバー３０、および下側リアカバー５０を爪嵌合構造などを用いて組み合わせる。それによって上部筐体と下部筐体とを有する折り畳み型携帯情報端末１が完成する。図６に示すように、上側リアカバー３０に設けられた第１の連結部品係止部３２には、上フロントケース１０に設けられた上側ケース用半円筒型ヒンジ２０の第１の連結部品接触部２１と同じ径の凹部が設けられている。上側リアカバー３０を上側フロントケース１０と組み合わされることにより、上側筐体のヒンジ部の内面は広い範囲で第１の連結部品６０の先端部６０ａの外面と当接する。それによって上部筐体と下部筐体とは円滑に回転摺動する。
【００３０】
次に、本発明の折り畳み型携帯情報端末のヒンジ構造の基本構成となる上側フロントケース１０、下側フロントケース４０、第１の連結部品６０の組み合わせ方法についてさらに詳細に説明する。まず、下側フロントケース４０の下側ケース用第１の円筒形ヒンジ４１の内径部に第１の連結部品６０を嵌め込み、先端部６０ａがその内径部より突出した状態とする。この時、第１の連結部品６０の挿入された部分、および下側フロントケース４０の下側ケース用第１の円筒形ヒンジ４１の内形は図２に示すように円形ではなく、相互の回転が行われないように切り欠き部を有するＣ字型の形状となっている。
【００３１】
次に、図３に示すように上側フロントケース１０と下側フロントケース４０とを開いた状態でそれぞれのヒンジ部を近接させる。上側フロントケース１０と下側フロントケース４０との円筒部の回転軸を平行に保った状態で、上側ケース用半円筒型ヒンジ２０を下側ケース用ヒンジ凹面４３に近接するように移動させる。図３、および図４に示すように、第１の連結部品６０の先端部６０ａに設けられた切り欠き部６０ｂと下側ケース用ヒンジ凹面４３との間にできた空間に、上側ケース用半円筒型ヒンジ２０の第１の連結部品接触部２１を潜り込ませる。最終的に、図５に示すように双方の軸線を合わせ嵌め合わせる。
【００３２】
その状態で、第２の連結部品７０を上側ケース用半円筒型ヒンジ２０の軸方向中央の開放側から第２の連結部品挿入用円筒部２２に挿入し、さらに下側ケース用第２の円筒型ヒンジ４２の開口部まで貫入させて固定する。回転軸を中心として上側フロントケース１０と下側フロントケース４０を閉じて図６に示す状態とし、上側フロントケース１０に上側リアカバー３０を組み合わせる。それによって、第１の連結部品６０の先端部６０ａが収まっている上側ケース用半円筒型ヒンジ２０の切り欠かれている部分を覆うように、上側ヒンジカバー３１の内部に設けられている第１の連結部品係止部３２が係合する。その状態で上側フロントケース１０を下側フロントケース４０に対し回転させると、上側ケース用半円形型ヒンジ２０と上側リアカバー３０の第１の連結部品係止部３２により形成される円筒形状の内壁面に沿って第１の連結部品６０の先端部６０ａの外面が滑動する。
【００３３】
最後に、下側フロントケース４０にも下側リアカバー５０を組み合わせることにより、折り畳み型携帯情報端末１の形態となる。本発明の実施の形態では、下側フロントケース４０についても下側リアカバー５０を取り付けることとしているが、下側フロントケース４０の回転軸周辺に、上側のケースが回転してある一定の角度に開いた状態を保持するための係止形状がある場合は、折り畳み型携帯情報端末１としての機能上の必要がない限り特に下側リアカバー５０を設ける必要はない。
【図面の簡単な説明】
【００３４】
【図１】本発明の実施の形態の回転式連結構造（以後ヒンジ構造と略称する）を有する折り畳み型携帯情報端末の分解斜視図である。
【図２】本発明の実施の形態のヒンジ構造を構成する第１の連結部品の外形図であり、（ａ）は上面図、（ｂ）は左側面図、（ｃ）は下面図、（ｄ）は右側面図、（ｅ）は正面図、（ｆ）は背面図である。
【図３】折り畳み型携帯情報端末の上側フロントケースと下側フロントケースをヒンジ構造で組み合わせた状態の斜視図である。
【図４】上側フロントケースと下側フロントケースとのヒンジ部を組み合わせ始めた状態を示す模式的側面断面図である。
【図５】上側フロントケースと下側フロントケースとのヒンジ部が組み合わさった状態を示す模式的側面断面図である。
【図６】下側フロントケースに上側フロントケースを重ね上側リアカバーを取り付けた状態の模式的側面断面図である。
【図７】従来例の折り畳み型携帯情報端末のヒンジ構造の一例を示す模式的外形図であり、（ａ）は上面図、（ｂ）は側面図である。
【符号の説明】
【００３５】
１    折り畳み型携帯情報端末
１０    上側フロントケース
２０    上側ケース用半円筒型ヒンジ
２１    第１の連結部品接触部
２２    第２の連結部品挿入用円筒部
３０    上側リアカバー
３１    上側ヒンジカバー
３２    第１の連結部品係止部
４０    下側フロントケース
４１    下側ケース用第１の円筒型ヒンジ
４２    下側ケース用第２の円筒型ヒンジ
４３    下側ケース用ヒンジ凹面
５０    下側リアカバー
６０    第１の連結部品
６０ａ    先端部
６０ｂ    切り欠き部
７０    第２の連結部品
【図１】
2008028708.tif 000003
【図２】
2008028708.tif 000004
【図３】
2008028708.tif 000005
【図４】
2008028708.tif 000006
【図５】
2008028708.tif 000007
【図６】
2008028708.tif 000008
【図７】
2008028708.tif 000009